(57)【要約】      （修正有）【課題】鉛直状態で吊り下げられた商品が瞬時に取り出されることを防止する盗難抑制機能付き商品陳列具を提供する。【解決手段】横長の吊り下げ穴５１が形成された商品５０を鉛直状態で吊持する商品陳列具１０であって、商品陳列バーや壁面等に固定される取り付け部１と、取り付け部１から前方に延出し、吊り下げ穴形状に対応する断面形状を有する支持部２と、を備え、支持部２は、厚み方向に貫通する切り欠き溝２３で形成される下方向に撓む可撓片部２４を有し、可撓片部２４の前方部に商品の取り出しを抑制する突起部２５を形成した。【選択図】図４
0003213488.tif 000002
【実用新案登録請求の範囲】
【請求項１】
横長の吊り下げ穴が形成された商品を鉛直状態で吊持する商品陳列具であって、
商品陳列バーや壁面等に固定される取り付け部と、
該取り付け部から前方に延出し、該吊り下げ穴形状に対応する断面形状を有する支持部と、を備え、
該支持部は、厚み方向に貫通する切り欠き溝で形成される下方向に撓む可撓片部を有し、該可撓片部の前方部に商品の取り出しを抑制する突起部を形成したことを特徴とする盗難抑制機能付き商品陳列具。
【請求項２】
該可撓片部は、該突起部を手で下方に押して撓み、手を離して、元の形状に戻ることを特徴とする請求項１記載の盗難抑制機能付き商品陳列具。
【請求項３】
該突起部は、後方側の起立面と、該起立面の上端から前方下り傾斜の傾斜面を有することを特徴とする請求項１又は２記載の盗難抑制機能付き商品陳列具。
【請求項４】
該切り欠き溝は、平面視において、略Ｕ字形状であることを特徴とする請求項１〜３のいずれか１項に記載の盗難抑制機能付き商品陳列具。
【請求項５】
該商品は、該突起部より後方で、吊持することを特徴とする請求項１〜４のいずれか１項に記載の盗難抑制機能付き商品陳列具。
【請求項６】
該支持部は、樹脂製であることを特徴とする請求項１〜５のいずれか１項に記載の盗難抑制機能付き商品陳列具。
【考案の詳細な説明】
【技術分野】
【０００１】
本考案は、鉛直状態で吊り下げられた商品が瞬時に取り出されることを防止する盗難抑制機能付き商品陳列具に関する。
【背景技術】
【０００２】
ホームセンターや量販店においては、箱物商品や袋物商品の上部に吊り下げ用の穴を形成し、この吊り下げ用の穴にフック等の商品支持部を通して、多数の商品を前後方向に姿勢よく吊り下げて陳列する。
【０００３】
特開２０００−２１０１６６号公報には、商品陳列棚あるいは商品陳列ボードに商品を吊り下げられるように取り付けられる先端部が順次上方へ傾斜する商品吊り下げ用フック本体と、この商品吊り下げ用フック本体の先端部に該商品吊り下げ用フック本体に吊り下げられた商品が簡単に抜き取られないように着脱可能に取り付けられたロック機構とからなることを特徴とする商品吊り下げ具が開示されている。この商品吊り下げ具によれば、商品の取り出しに少しの手間と操作が必要になるため、盗難事故を効率よく防止することができる。
【先行技術文献】
【特許文献】
【０００４】
【特許文献１】特開２０００−２１０１６６号公報
【考案の概要】
【考案が解決しようとする課題】
【０００５】
近年、ホームセンターや量販店において、吊り下げて陳列された商品を狙った窃盗事件が発生している。この場合、複数個の商品が一度に瞬時に抜き出され、被害を防止することが困難である。従来の商品吊り下げ具は、盗難事故を防止することはできるが、顧客が商品を購入したり吟味したりする際にも商品の取り出しが難しいという欠点があった。１個の商品の取り出しには支障がなく、複数個の商品の取り出しには時間を要するような商品陳列具であれば、顧客の購買行動を阻害せずに盗難事故を防止することができ都合が良い。
【０００６】
従って、本考案の目的は、１個の商品の取り出しには支障がなく、複数個の商品の瞬時の取り出しを規制する盗難抑制機能付き商品陳列具を提供することにある。
【課題を解決するための手段】
【０００７】
上記目的を達成するために、本考案は、横長の吊り下げ穴が形成された商品を鉛直状態で吊持する商品陳列具であって、商品陳列バーや壁面等に固定される取り付け部と、該取り付け部から前方に延出し、該吊り下げ穴形状に対応する断面形状を有する支持部と、を備え、該支持部は、厚み方向に貫通する切り欠き溝で形成される下方向に撓む可撓片部を有し、該可撓片部の前方部に商品の取り出しを抑制する突起部を形成したことを特徴とする盗難抑制機能付き商品陳列具を提供するものである。
【０００８】
また、本考案は、該可撓片部は、該突起部を手で下方に押して撓み、手を離して、元の形状に戻ることを特徴とする前記盗難抑制機能付き商品陳列具を提供するものである。
【０００９】
また、本考案は、該突起部は、後方側の起立面と、該起立面の上端から前方下り傾斜の傾斜面を有することを特徴とする前記盗難抑制機能付き商品陳列具を提供するものである。
【００１０】
また、本考案は、該切り欠き溝は、平面視において、略Ｕ字形状であることを特徴とする前記盗難抑制機能付き商品陳列具を提供するものである。
【００１１】
また、本考案は、該商品は、該突起部より後方で、吊持することを特徴とする前記盗難抑制機能付き商品陳列具を提供するものである。
【００１２】
また、本考案は、該支持部は、樹脂製であることを特徴とする前記盗難抑制機能付き商品陳列具を提供するものである。
【考案の効果】
【００１３】
本考案によれば、吊り下げられた商品を単に前方に引くだけでは、商品の吊り下げ穴が商品陳列具の可撓片部に形成される突起部に引掛かかり、商品を取り出すことができない。商品を取り出す場合は、突起部を手で下方に押して可撓片部を下方向に撓ませることにより、突起部に商品の吊り下げ穴をくぐらせて商品を取り出す。このため、複数の吊り下げ商品を瞬時には引き出せず、商品の盗難を抑制できる。
【図面の簡単な説明】
【００１４】
【図１】本考案の第１の実施の形態における盗難抑制機能付き商品陳列具の斜視図である。
【図２】本考案の第１の実施の形態における盗難抑制機能付き商品陳列具の他の斜視図である。
【図３】図１の盗難抑制機能付き商品陳列具の使用状態図である。
【図４】図１の盗難抑制機能付き商品陳列具の他の使用状態図である。
【図５】図１の盗難抑制機能付き商品陳列具の断面図である。
【図６】図１の盗難抑制機能付き商品陳列具の作用を説明する図である。
【図７】本考案の第２の実施形態における盗難抑制機能付き商品陳列具の平面図である。
【図８】本考案の第３の実施形態における盗難抑制機能付き商品陳列具の平面図である。
【図９】図８の盗難抑制機能付き商品陳列具の断面図である。
【考案を実施するための形態】
【００１５】
次に、図１〜図９に示す実施の形態により、本考案の盗難抑制機能付き商品陳列具（以下、単に「商品陳列具」とも言う。）について詳細に説明する。本明細書において、「前後」とは、使用状態において、顧客が陳列商品を取り出す方向を「前」、その反対方向を「後ろ」とする。また、「横方向」は特段の説明がない限り、使用状態における顧客側から見た方向を言う。
【００１６】
次に、本考案の第１の実施の形態における商品陳列具を図１〜図６を参照して説明する。商品陳列具１０は、横長の吊り下げ穴５１が形成された多数ｎ（ｎは２以上の整数）の商品５０を鉛直状態で吊持するものであって、商品陳列バーや壁面等に固定される取り付け部１と、取り付け部１から前方に延出し、吊り下げ穴５１形状に対応する断面形状を有する支持部２と、を備える。
【００１７】
取り付け部１は、商品陳列バーや壁面等の固定部に固定されると共に、支持部２を支持するものである。取り付け部１は、商品陳列具１０を側面から見た場合に、上方部材１２と下方部材１１とから構成され、取り付け部１の断面形状は、略コ字形状を９０度反時計周りに回転させた形状である。取り付け部１は、左右方向に延出する商品陳列バーである四角形断面形状の横バー（不図示）に装着される。取り付け部１のバー部材への装着形態としては、特に制限されず、固着による装着であっても、脱着可能な装着であってもよい。
【００１８】
取り付け部１の上方部材１２は、右側面視が、略コ字形状を９０度反時計周りに回転させた形状であり、前後方向に延びる左右両側板１２６、１２７間であって、上面および側面に沿うように一繋ぎのコ字断面形状を９０度反時計周りに回転させた形状の溝１３が形成されている。溝１３は、前方に延出する価格表示バー部材（不図示）を挟んで装着するためのものである。溝１３の幅は、価格表示バー部材の幅に合わせて適宜決定される。
【００１９】
取り付け部１の下方部材１１は、上下方向に延びる板状縦部１１１と、前後方向に延びる板状横部１１２とで構成され、左側面視で、略Ｌ字形状を１８０度反時計周りに回転させた形状であり、幅が支持部２の幅と同等である。下方部材１１は、上方部材１２の内側で且つ前側で上方部材１２と接合している。すなわち、板状横部１１２の一部が上方部材１２と接合し、板状縦部１１１の一部が上方部材１２及び支持部２と接合している。取り付け部１において、板状縦部１１１と上方部材１２の後方脚部１２２間に、横バーが嵌ることになる。
【００２０】
商品陳列具１０は、取り付け部１から前方に延出し、吊り下げ穴形状に対応する断面形状を有する支持部２を備える。商品陳列具１０において、横長の吊り下げ穴形状に対応する断面形状部分は、突起部２５を除いた部分であり、本例では平板部２１と称する。すなわち、平板部２１は、取り付け部１から前方に延出する板状の部材であり、陳列商品５０の吊り下げ穴５１の横穴部５１１を挿通可能な厚みと幅を有し、かつ陳列商品５０を複数個吊り下げ可能な奥行きを有する。なお、吊り下げ穴５１は、本例のような横長断面のものに限定されず、陳列商品の吊り下げ穴が、扁平状の横長楕円などであれば、それに対応するものであればよい。
【００２１】
平板部２１は、本例では、切り欠き溝２３の基端までが、吊り下げ穴５１に対応する形状であり、切り欠き溝２３の基端から突起部２５までが、吊り下げ穴５１の横穴部５１１に対応する形状である。平板部２１を、陳列商品５０の吊り下げ穴５１に略対応させることで、陳列商品５０の吊り下げ姿勢が安定する。すなわち、従来、陳列商品５０を丸棒部材である吊り下げバーに吊り下げると、陳列商品５０は振り子のように、簡単に振れ、隣接する商品の陳列姿勢を乱したりするものの、本例では、このような陳列姿勢が乱れることはない。なお、本考案において、「吊り下げ穴形状に対応する断面形状」は、吊り下げ穴形状と完全に一致する断面形状でなくとも、横方向寸法が略一致するものであればよい。
【００２２】
平板部２１の左右方向の中央には、商品５０の吊り下げ穴５１の縦穴部５１２に対応する半円形断面の突起２２が前方に延出している。これにより、吊り下げ穴形状とほぼ一致するため、商品５０の陳列姿勢が安定すると共に、補強リブとして機能するため、平板部２１の補強にもなる。支持部２の材質としては、樹脂製とすることが、可撓片部２４の形成が容易である点で好ましい。
【００２３】
支持部２は、厚み方向に貫通する切り欠き溝２３で形成される上下方向に撓む可撓片部２４を有し、可撓片部２４の前方部に商品の取り出しを抑制する突起部２５を有する。すなわち、可撓片部２４は、支持部２の前方部に形成され、本例では、平板部２１に形成された中央の突起２２の前端から前方に形成されている。
【００２４】
切り欠き溝２３は、平板部２１の外周端のやや内側で、且つ外周の形状に沿ったＵ字形状に形成されている。この切り欠き溝２３で囲まれた内側部が可撓片部２４となる。可撓片部２４を幅広寸法とすることで、その先端に形成される突起部２５を幅広にでき、商品５０の吊り下げ穴の吊り下げ片部５５と広い面積で当接することが可能となり、商品５０の吊り下げ穴の吊り下げ片部５５が損傷し難くなり、且つ商品の瞬時の取り出しを抑制できるため、盗難抑止となる。可撓片部２４は、突起部２５を手で下方に押して撓み、手を離すことで元の形状に戻るものであり、支持部２、好ましくは、可撓片部２４の厚みを薄くすることで達成できる。なお、本考案において、切り欠き溝２３の形状は、Ｕ字形状に限定されず、種々の形状を採ることができる。
【００２５】
突起部２５は、陳列商品の取り出しを抑制するものである。本例では、突起部２５は、可撓片部２４の前方に形成され、後方側の起立面２５２と、起立面２５２の上端から前方下り傾斜の傾斜面２５１を有するものである。突起部２５は、可撓片部２４の前方に形成することで、幅広形状とすることができる。また、後方側の起立面２５２を形成することで、陳列商品５０は、容易に前方に取り出せず、前方の傾斜面２５１を形成することで、陳列商品５０を補充する際の障害とならないようにしている。
【００２６】
また、図５に示すように、通常の商品陳列状態では、突起部２５の天面が、陳列商品５０の吊り下げ穴５１の上端より高い位置まで突出している。このため、通常の商品陳列状態において、少しの外力では、陳列商品５０を取り出すことができない。突起部２５は、陳列商品の取り出しを抑制できる形状であればよく、上記の形状に限定されない。
【００２７】
次に、商品陳列具１０に陳列商品５０を補充する工程を説明する。陳列商品５０の補充又は新規で取り付けるには、先ず、陳列商品５０を陳列姿勢で、吊り下げ穴５１に支持部２を通すことで行われる。この際、突起部２５が障害となるが、吊り下げ穴５１を形成する内周壁面の上方壁面（吊り下げ片部５５の厚みに相当）で突起部２５の傾斜面２５１を下方へ押しつつ、陳列商品を後方へ押し込む。この際、可撓片部２４は、下方に撓み、突起部２５の天面が陳列商品５０の吊り下げ穴５１の上端より下がるため、突起部２５は、吊り下げ穴５１をくぐることができる。そして、そのまま後方へ押しやる。陳列商品５０は、吊り下げ穴５１と支持部２の断面形状が対応しており、左右の振れがなく、陳列姿勢が安定する。次いで、同様に、他の陳列商品の補充を行えばよい。そして、陳列商品５０は、突起部２５より後方で、吊持される。その際、最前列の陳列商品５０において、突起部２５の天面が、陳列商品５０の吊り下げ穴５１より高い位置まで突出している。このため、通常の商品陳列状態では、突起部２５を吊り下げ穴５１にくぐらせることができず、陳列商品５０は取り出し難い状態となっている。
【００２８】
次に、商品陳列具１０の盗難抑止機能について図５及び図６を参照して説明する。陳列商品５０を商品陳列具１０から取り出す場合、突起部２５を下方に押し込む動作と吊り下げ穴５１に突起部２５を通して支持部２から陳列商品５０を抜き出す動作が同時に必要となる。陳列商品５０を盗む目的で、数個の陳列商品５０を一度に取り出そうとすると、突起部２５が障害となり、瞬時の取り出しはできない。例え、１個の陳列商品５０を取り出したとしても、可撓片部２４の形状は元の形状に復元するため、１個目に続き、２個目の陳列商品５０を瞬時に抜き出すことはほとんどできない。すなわち、商品陳列具１０は、複数個の陳列商品５０の取り出しに時間がかかるため、盗難抑止効果を発揮する。なお、１個の陳列商品５０を取り出すには、突起部２５を手で下方へ押し、可撓片部２４を押し下げ、突起部２５を吊り下げ穴５１にくぐらせて引き抜けばよい。このため、通常の顧客には面倒はない。
【００２９】
次に、本考案の第２の実施の形態における商品陳列具を図７を参照して説明する。図７において、図１〜図６の第１の実施の形態例の商品陳列具と同一構成要素には同一符号を付して、その説明を省略し、異なる点について、主に説明する。すなわち、図７の商品陳列具１０ａにおいて、図１〜図６の商品陳列具１０と異なる点は、可撓片部２４を二つに分割し、並列に形成した点である。すなわち、一方の可撓片部２４ａは、平板部２１ａの幅方向の半分の領域（図７中では、中心から上方領域）に、厚み方向に貫通する切り欠き溝２３ａで形成される上下方向に撓む可撓片部２４ａを有し、可撓片部２４ａの前方部に商品の取り出しを抑制する突起部２５ａを形成したものである。また、他方の可撓片部２４ｂは、平板部２１ａの幅方向の他の半分の領域（図７中では、中心から下方領域）に、厚み方向に貫通する切り欠き溝２３ｂで形成される上下方向に撓む可撓片部２４ｂを有し、可撓片部２４ｂの前方部に商品の取り出しを抑制する突起部２５ｂを形成したものである。可撓片部２４ａと可撓片部２４ｂは、同一形状（対称形状）であるが、これに限定されず、非対称形状であってもよい。この商品陳列具１０ａにおいては、瞬時に複数の陳列商品５０を取り出す際、２つの突起部２５ａ、２５ｂが取り出しの障害となり、また、顧客が１個の陳列商品５０を取り出すには、２つの突起部２５ａ、２５ｂを手で下方へ押し、可撓片部２４ａ、２４ｂを押し下げ、突起部２５ａ、２５ｂを吊り下げ穴５１にくぐらせて引き抜けばよい。このため、通常の顧客には面倒はない。従って、商品陳列具１０ａにおいても、商品陳列具１０と同様の作用効果を奏する。
【００３０】
次に、本考案の第３の実施の形態における商品陳列具を図８を参照して説明する。図８において、図１〜図６の第１の実施の形態例の商品陳列具と同一構成要素には同一符号を付して、その説明を省略し、異なる点について、主に説明する。すなわち、図８の商品陳列具１０ｂにおいて、図１〜図６の商品陳列具１０と異なる点は、切り欠き溝、可撓片部及び突起部の形状である。すなわち、商品陳列具１０ｂにおいて、支持部２１ｃの厚み方向に貫通する切り欠き溝２３ｃで形成される可撓片部２４ｃを、スプーン形状とした点である。すなわち、可撓片部２４ｃは、平面視において、細長の長方形の先端が円形又は略楕円形となったものである。
【００３１】
可撓片部２４ｃのスプーンの皿状部分の前方には、突起部２５ｃが形成されている。突起部２５ｃは、後方側の起立状の起立面２５２ｃと、後方起立面２５２ｃの上端から前方側へ短い平坦な頂部２５３ｃと、頂部２５３ｃから前方へ下る傾斜の傾斜面２５１ｃを有する。商品陳列具１０の突起部２５と同様に、通常の商品陳列状態では、突起部２５ｃの頂部２５３ｃが、陳列商品５０の吊り下げ穴５１より高い位置まで突出している。このため、通常の商品陳列状態において、そのままでは、突起部２５ｃを吊り下げ穴５１にくぐらせることができず、商品の取り出しができない。陳列商品５０を取り出す場合、突起部２５ｃを下方に押し込み、可撓片部２４ｃを下方に撓ませ、突起部２５ｃの頂部２５３ｃと吊り下げ穴５１を同じ高さにすることにより、突起部２５ｃを吊り下げ穴５１にくぐらせて商品を取り出す。本例の商品陳列具１０ｂにおいても、本考案の第１の実施の形態と同様な作用効果を奏する。
【００３２】
本考案の商品陳列具において、取り付け部は、商品陳列バーや壁面等に固定されるものであれば、上記実施の形態例に限定されない。また、取り付け部と支持部は分離された部材で、組立てるものであってもよい。また、突起部を形成する後方側の起立面は、上記実施の形態例の鉛直面に限定されず、前方の前方下り傾斜より傾斜度が高く、鉛直面に近い略鉛直状の傾斜を有する後方下り傾斜の面であってもよい。このような傾斜面であっても、商品の瞬時の取り出しを抑制することができる。
【産業上の利用可能性】
【００３３】
以上の説明から明らかなように、本考案によれば、１個の商品の取り出しには支障がなく、複数個の商品を取り出す場合には時間を要し、顧客の購買行動を阻害せずに盗難事故を防止することができる。
【符号の説明】
【００３４】
１          取り付け部
２          支持部
１０、１０ａ、１０ｂ        商品陳列具
１１        下方部材
１２        上方部材
２１        平板部
２２        吊り下げ穴用突起
２３、２３ａ〜２３ｃ、２４ｃ      切り欠き溝
２４、２４ａ〜２４ｃ        可撓片部
２５、２５ａ〜２５ｃ        突起部
２５２      起立面
２５１      傾斜面
５０        陳列商品
５１        吊り下げ穴
５１１      横穴部
５１２      縦穴部
【図１】
0003213488.tif 000003
【図２】
0003213488.tif 000004
【図３】
0003213488.tif 000005
【図４】
0003213488.tif 000006
【図５】
0003213488.tif 000007
【図６】
0003213488.tif 000008
【図７】
0003213488.tif 000009
【図８】
0003213488.tif 000010
【図９】
0003213488.tif 000011